【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
モータを固定支持する上部フレームと、前記モータに連結された太陽歯車と、この太陽歯車の軸周り配された遊星歯車と、この遊星歯車に噛合する内歯歯車と、前記太陽歯車および遊星歯車をそれぞれ回転自在に支持して成る出力軸と、前記内歯歯車を回転規制するとともに前記出力軸を回転自在に支持して成る下部フレームとを備えて成る減速機において、
前記内歯歯車は、その軸方向へ離間させ配した複数の軸受を備え、
前記出力軸は、前記軸受へ挿通され前記内歯歯車を両持ち支持して成ることを特徴とする減速機。
【請求項２】
前記出力軸は、前記上部フレームと前記下部フレームとにそれぞれ配した軸受に両持ち支持されて成ることを特徴とする請求項１に記載の減速機。
【請求項３】
前記太陽歯車は、その軸方向へ離間させ配した複数の軸受に両持ち支持されて成ることを特徴とする請求項１または請求項２に記載の減速機。
【請求項４】
前記遊星歯車は、その両端に軸受を具備して成ることを特徴とする請求項１ないし請求項３の何れかに記載の減速機。
【請求項５】
前記下部フレームは、前記内歯歯車に係合する起歪体を内包し、
前記起歪体は、内歯歯車の反力を外部出力して成ることを特徴とする請求項１ないし請求項４の何れかに記載の減速機。
【請求項６】
請求項１ないし請求項５の何れかに記載の減速機を具備して成ることを特徴とするねじ締め機。
【手続補正２】
【補正対象書類名】明細書
【補正対象項目名】全文
【補正方法】変更
【補正の内容】
【発明の詳細な説明】
【発明の名称】減速機およびこれを備えたねじ締め機
【技術分野】
【０００１】
本発明は、入力された回転力を増力する遊星歯車機構を備えた減速機およびこの減速機を備えて成るねじ締め機に関する。
【背景技術】
【０００２】
従来の減速機は、特許文献１に示すように所謂遊星歯車機構であり、後記モータ軸と一体に回転する太陽歯車と、この太陽歯車の軸周りに複数個配され太陽歯車に係合する遊星歯車と、これら遊星歯車をそれぞれ回転自在に軸支する出力軸と、前記太陽歯車を挿通し前記遊星歯車に係合する内歯歯車とを備えて成る。また、これら遊星歯車、出力軸、内歯歯車は、それぞれ回転抵抗を低減するためのベアリングを取り付けて成る。
【０００３】
上述した減速機を備えた従来のねじ締め機は、前記太陽歯車に接続され回転駆動するモータ軸を備えたモータと、このモータに固定され前記内歯歯車の回転力を受けてトルク検出可能なトルクセンサとを備えて成り、前記内歯歯車に掛かる反力トルクを前記出力軸に掛かる出力トルクとして検出可能に構成されている。また、前記出力軸にワークへ締結する締結部品の一例であるねじに嵌合可能なビットが接続されることで従来のねじ締め機が構成される。これにより、従来のねじ締め機は、モータの回転を当該減速機へ入力して、ビットに嵌合した当該ねじをワークへ締結することができる。
【０００４】
また、前記トルクセンサは、前記太陽歯車を挿通可能なパイプ状の起歪体と、この起歪体の薄肉部に貼り付けられた歪ゲージとから構成される。前記起歪体は、その一端が前記モータに固定されて成る一方、他端が前記内歯歯車に接続されて成る。
【０００５】
これにより、従来のねじ締め機は、前記出力軸の回転負荷に応じた反力トルクが前記内歯歯車へ伝達され、この内歯歯車に接続された起歪体が捻じり方向へ弾性変形し、前記歪ゲージから前記弾性変形に応じた信号を外部へ発し、出力トルクを検出して成る。
【先行技術文献】
【特許文献】
【０００６】
【特許文献１】特開2016-97460号公報
【発明の概要】
【発明が解決しようとする課題】
【０００７】
しかしながら、従来の減速機は、上述のようにベアリングを各歯車に取り付けているものの、例えば、太陽歯車においては前記ベアリングを備えておらず、前記内歯歯車においては前記モータ側の一方に１つのベアリングしか配置されていない。このため、前記太陽歯車および内歯歯車は、減速機の軸線に対して傾き易く、これに係合する遊星歯車との接触が一部強くなり、太陽歯車、内歯歯車、遊星歯車の歯部がそれぞれ局部的に摩耗し易いという問題があった。また、前記出力軸に取り付けられた前記ベアリングは、２個配置されているものの、その取付位置は、出力軸の全長方向の中間付近に連なるように配置されている。よって、出力軸は、両端を軸支されておらず片持ちの状態となっているので、減速機の軸線に対して傾き易い。したがって、前述した遊星歯車は、より傾き易くなるので、上述の摩耗以上に局部的に摩耗し易くなるという問題もあった。
【０００８】
また、同様に従来のねじ締め機は、前記内歯歯車などが所謂片持ちの状態で回転自在に支持されているため、これに係合し一体な起歪管も同様に傾き易い。よって、傾いた時の検出トルクは精度が悪く、傾いていない時の検出トルクは精度が良いというように、検出トルクの精度誤差が大きいという問題もあった。
【０００９】
さらに、従来の減速機およびねじ締め機は、上述のように内歯歯車あるいは太陽歯車などが傾き易いため、前記出力軸へのトルク伝達効率が低減する。これにより、前記モータの選定に当たっては、トルク伝達効率の低減を見込み高い回転力を発揮する容量のものを選定するなどしなければならず、モータのコストが増大するという問題もあった。
【課題を解決するための手段】
【００１０】
本発明に係る減速機は、上記課題に鑑みて創成されたものであり、モータを固定支持する上部フレームと、前記モータに連結された太陽歯車と、この太陽歯車の軸周り配された遊星歯車と、この遊星歯車に噛合する内歯歯車と、前記太陽歯車および遊星歯車をそれぞれ回転自在に支持して成る出力軸と、前記内歯歯車を回転規制するとともに前記出力軸を回転自在に支持して成る下部フレームとを備えて成る減速機において、  前記内歯歯車は、その軸方向へ離間させ配した複数の軸受を備え、前記出力軸は、前記軸受へ挿通され前記内歯歯車を両持ち支持して成ることを特徴とする。なお、前記出力軸は、前記上部フレームと前記下部フレームとにそれぞれ配した軸受に両持ち支持されて成ることが望ましい。また、前記太陽歯車は、その軸方向へ離間させ配した複数の軸受に両持ち支持されて成ることが望ましい。さらに、前記遊星歯車は、その両端に軸受を具備して成ることが望ましい。また、前記下部フレームは、前記内歯歯車に係合する起歪体を内包し、前記起歪体は、内歯歯車の反力を外部出力して成ることが望ましい。
【００１１】
また、本発明に係るねじ締め機は、上記の何れかに記載の減速機を具備して成ることを特徴とする。
【発明の効果】
【００１２】
本発明の減速機およびこれを備えたねじ締め機は、前記太陽歯車、遊星歯車、内歯歯車を両持ちの状態で複数の軸受により軸支された出力軸を備えるので、太陽歯車などに傾きが生じても出力軸は傾き難い。よって、回転の出力ロスを低減でき、伝達効率を高めることができるという利点がある。
【００１３】
また、本発明の減速機は、太陽歯車および内歯歯車の歯車部の両側にそれぞれ軸受が配置され、これら太陽歯車および内歯歯車をそれぞれ前記軸受によって両持ちするよう構成されている。これにより、太陽歯車および内歯歯車も前述した出力軸のように傾き難くなるため、より回転の出力ロスが低減されるという利点もある。また、本発明の減速機およびこれを備えたねじ締め機は、少なくとも太陽歯車および内歯歯車が傾き難い構造であるので、従来に比べて局部的に摩耗するようなことも低減できるという利点もあり、入力するモータ軸の回転を高効率で前記出力軸へ伝達できるという利点もある。
【００１４】
また、本発明のねじ締め機は、前記内歯歯車の回転を規制する起歪体を備え、この起歪体に歪みゲージを貼り付けて構成するため、内歯歯車の反力トルクを前記出力軸が受けるトルクとして検出することができる。よって、前記起歪体は、回転軸の軸線に対して傾きを生じることなく捻じり方向へ純粋に弾性変形するので、従来に比べて検出するトルク精度を高めることができるという利点もある。
【図面の簡単な説明】
【００１５】
【図１】本発明に係る一実施形態を示す一部切欠き断面図である。
【図２】図１の全体を示す斜視図である。
【発明を実施するための形態】
【００１６】
以下、本発明の減速機１およびこれを備えたねじ締め機５０を図１および図２に基づき説明する。本発明のねじ締め機５０は、一端から突出するモータ軸Ｍ１をベアリングＢに回転自在に支持して成るモータＭと、このモータＭの下方へ延び前記モータ軸Ｍ１に連結されてモータ軸Ｍ１の回転力を増力する減速機１とから構成されている。
【００１７】
前記減速機１は、前記モータ軸Ｍ１とともに回転する太陽歯車２と、この太陽歯車２に噛合する遊星歯車３と、この遊星歯車３を太陽歯車２の軸周りに噛み合うよう複数軸支して成る出力軸４と、前記遊星歯車３に噛合する内周面を形成しこれら遊星歯車３を常時内包して噛合状態となる内歯歯車５とから構成される。
【００１８】
前記太陽歯車２は、その上部に前記モータ軸Ｍ１を挿通して成り、このモータ軸Ｍ１と一体に回転するよう固定して成る。また、この太陽歯車２の下部は、前記遊星歯車３に形成された歯車形状に合う歯車部が形成されており、この太陽歯車２の歯車部の両端には回転軸を回転自在に支持可能な軸受２０ａ，２０ｂがそれぞれ配置されている。この軸受２０ａは、前記出力軸４の上部に取り付けられる一方、前記軸受２０ｂは、前記出力軸４の中間付近に取り付けられている。
【００１９】
前記遊星歯車３は、前記太陽歯車２の軸周りに３個等分に配置されており、太陽歯車２の回転方向とは逆方向へ回転するよう構成される。また、これら遊星歯車３は、その上部および下部にそれぞれ配置された軸受２０ｃ，２０ｄを備えており、これら軸受２０ｃ，２０ｄの内径へ挿通され前記出力軸４に取り付けられたピン４ａに軸支されて成る。
【００２０】
前記出力軸４は、前記モータＭを固定した上部フレームＦ１に取り付けた軸受２０ｅと、前記上部フレームＦ１の下端側に配置された下部フレームＦ２の下部に取り付けられた軸受２０ｆとにより回転自在に支持されている。また、出力軸４は、前記太陽歯車２の歯車部の両端を支持する前記軸受２０ａ，２０ｂを配置しており、太陽歯車２を円滑に回転させるよう支持して成る。さらに、出力軸４は、前記遊星歯車３の軸受２０ｃ，２０ｄへ挿通可能なピン４ａを備えており、これらピン４ａは、前記太陽歯車２の歯車部に遊星歯車３が噛合するよう太陽歯車２の軸周りに位置するよう配置されている。また、出力軸４は、前記遊星歯車３の上部と下部に軸受２０ｇ，２０ｈを回転自在に配して成り、これら軸受２０ｇ，２０ｈの外輪にはカラー１１，１２が配置されている。さらに、出力軸４は、図示しないワークに締結する締結部品の一例であるねじに係合するビット（図示せず）を接続可能に構成されている。
【００２１】
前記内歯歯車５は、前記遊星歯車３に噛合する内歯５ａがその内周面に渡って形成されており、この内歯５ａの両端に前記カラー１１，１２がそれぞれ位置するよう前記上部フレームＦ１に内蔵され、上部フレームＦ１内を回転可能に構成される。また、内歯歯車５の下部には、これと一体に固定された起歪体嵌合部材５ｃが配置されている。
【００２２】
前記起歪体嵌合部材５ｃおよび前記下部フレームＦ２は、それぞれスプライン穴５ｃｓ，Ｆ２ｓが配設されており、これらスプライン穴５ｃｓ，Ｆ２ｓに嵌合し前記出力軸４の下部を挿通した起歪体６によって接続されている。このように、前記起歪体６が起歪体嵌合部材５ｃおよび下部フレームＦ２のスプライン穴５ｃｓ，Ｆ２ｓに嵌合しているので、前記内歯歯車５は、前記太陽歯車２が回転しても自身が回転しないよう規制される。これにより、遊星歯車３は、回転する太陽歯車２の軸周りを公転するので、これら遊星歯車３を備えた前記出力軸４は、所定の回転数に減速され回転することになる。
【００２３】
また、前記起歪体６は、その外周６ａに図示しない歪ゲージを貼り付けており、起歪体６の外周６ａに生じた捻じり方向の力を電圧として出力可能に構成されている。この歪ゲージにより検出された電圧は、前記上部フレームＦ１および下部フレームＦ２から張り出すように配置されたボックス７に内蔵のアンプ基板７ａへ伝送され、さらに外部へ前記出力軸４に加わったトルクとして出力されている。
【００２４】
さらに、前記出力軸４は、その全長が前記太陽歯車２や前記内歯歯車５に比べて長く設定されており、これを両持ちの状態で軸支する前記軸受２０ｅ，２０ｆは、前記軸受２０ａ，２０ｂや、前記軸受２０ｃ，２０ｄ、或いは、前記軸受２０ｇ，２０ｈによって各部品を両持ちしている各支持間隔よりも長い支持間隔となるように両持ちして成る。これにより、軸方向に対して直交する方向などから外力を受ける出力軸４は、減速機１の軸線に対して傾き難く常時減速機の軸線に一致した姿勢を保つことができる。よって、これに軸支した遊星歯車３や太陽歯車２を傾けることが無く、この傾かない出力軸４に回転自在に支持された内歯歯車５の軸線も減速機の軸線に一致させ保つことができる。したがって、減速機１およびこれを備えたねじ締め機５０は、前記モータ軸Ｍ１の軸線に前記出力軸４を一致させ傾くことなく回転を出力することができる。これにより、減速機１およびこれを備えたねじ締め機５０は、斜め方向に取り付けられたとしても重力により自ら傾くことが無いので、様々な取付方向で使用されたとしても高い伝達効率を備える利点がある。
【００２５】
なお、本実施形態において、起歪体６に歪みゲージを貼り付けた構成としたが、これに限定されるものでは無く、出力軸４のトルクを検出する必要が無い場合であれば、起歪管６を単に前記内歯歯車５の回転止め部材として用いればよく、前記上部フレームＦ１の内周面に直接前記遊星歯車３に噛合する内歯５ａを形成してもよい。
【符号の説明】
【００２６】
１    減速機
２    太陽歯車
３    遊星歯車
４    出力軸
５    内歯歯車
５ｃ  起歪体嵌合部材
６    起歪体
２０ｇ  軸受
２０ｆ  軸受
５０    ねじ締め機
Ｆ１    上部フレーム
Ｆ２    下部フレーム
Ｍ      モータ
Ｍ１    モータ軸